(57)【要約】【課題】がいし連装置を鉄塔の腕金に取付けたまま、既設の電線を新線に張り替える、安全でかつ作業の容易な工法。【解決手段】鉄塔１の腕金２に支持されたがいし連装置３の先端のがいし連ヨーク４に引き留めた水平方向の２条の電線Ｄを、新規な電線Ｄに張り替える工法において、既設の２条の電線Ｄに反転式の吊り金車５を多数間隔をあけて取り付け、上記がいし連ヨーク４の中央に仮設配列ヨーク７を水平に取り付け、既設の２条の電線Ｄの両端を各仮設配列ヨーク７に掛け替え、これらの各仮設配列ヨーク７を回転させて垂直にし、２条の電線Ｄの下部の電線Ｄを各仮設配列ヨーク７から外してその一端に新線を接続し、上記２条の上部の電線Ｄを親線として当該下部の電線Ｄを新線に張り替え、その新線の両端を仮設配列ヨーク７に取り付け、その後、仮設配列ヨーク７を１８０度回転させて、上記と同様に下部の既設の電線を新線に張り替える。【選択図】図１
2005295681.tif 000002
【特許請求の範囲】
【請求項１】
鉄塔の腕金に支持されたがいし連装置の先端のがいし連ヨークに、水平方向に間隔をあけて２条の電線の各一端を引き留めた電線を、新規な電線に張り替える工法において、
張り替える既設の２条の電線に反転式の吊り金車を多数間隔をあけて取り付け、上記当該既設の電線の両端部の上記がいし連ヨークの中央に仮設配列ヨークを水平に取り付け、既設の２条の電線の両端を上記がいし連ヨークから外して上記各仮設配列ヨークに取り付け、これらの２条の電線両端の各仮設配列ヨークを回転させて垂直にし、この状態の２条の電線のうちの下部の電線を各仮設配列ヨークから外してその一端に新線を接続して、上記２条のうちの上部の電線を親線として、当該下部の電線を上記多数の吊り金車を通して引っ張り、新線に張り替え、その新線の両端を仮設配列ヨークに取り付け、その後、仮設配列ヨークを１８０度回転させて上下逆にし、下部の既設の電線の両端を仮設配列ヨークから外してその一端に新線を接続し、上記上部に位置する新線を親線として、既設の電線を上記多数の吊り金車を通して引っ張り、新線に張替え、その新線の両端を仮設配列ヨークに取り付け、当該仮設配列ヨークを９０度回転させて水平にし、２条の新線の両端を仮設配列ヨークから外してがいし連ヨークに取り付けることを特徴とする、送電線の張り替え工法。
【請求項２】
上記がいし連ヨークの中央に取付けた仮設配列ヨークは、がいし連ヨークの中央に取付けた棒状の取り付け金具の、がいし連ヨークの前方に突き出した延長部に仮設配列ヨークの中央部を係止し、上記延長部を軸として仮設配列ヨークが回転可能であることを特徴とする、上記請求項１に記載の送電線の張り替え工法。
【発明の詳細な説明】
【技術分野】
【０００１】
この発明は、既設の２導体電線を新設の電線に張り替える、張り替え工法に関するものである。
【背景技術】
【０００２】
市街地や山岳地の送電線路で、既設の２導体送電線の張り替え工事をする際に、この送電線の下に足場を構築できない場合には、吊金工法を採用している。この吊金工法は、鉄塔間に張った支線（電線又はワイヤ）に多数の吊金車を間隔をあけて吊り下げて、これらの吊金車に電線等を通して、電線・地線の張り替え、撤去、新設延線を行う工法である。
【０００３】
従来工法で２導体の電線張り替え作業をする場合は、電線を引き留めているがいし連装置から２条の電線を外して腕金に吊ってある金車にこれらの電線を乗せ替える。その理由は、がいし連装置の腕金取り付け点が１点支持が多く、がいし連装置自体が回転しやすい構造であり、作業性が非常に悪い。２導体のうち、素導体１本ががいし連装置に付いている状態ではがいし連装置が不均一張力を受け、がいし連が捩れ、２連のがいし同士が当り、破損し易い。また、鉄塔の腕金の幅は、その地域の状況によっては、短くしなければならない。このような短い腕金における上記金車の吊り下げ場所は、一定の強度がなければならず、そのため吊り下げ場所が限定される。がいし連装置を腕金に取り付けたままであると、腕金における金車の取り付け場所がなくなる。これらの理由から、電線を張り替える場合は、がいし連装置を腕金から外し、一旦地上に降ろし、電線張り替えが終わった後に、再度がいし連装置を腕金に取り付けている。
【発明の開示】
【発明が解決しようとする課題】
【０００４】
しかしながら、鉄塔上部から、重いがいし連装置を地上に降ろすのは、極めて手間がかかる。鉄塔の下の鉄塔工事用地は狭い場所や地面が急傾斜の場所が多く、作業がしずらく、また、他の機材もあり、これらに作業者が挟まれるおそれもある。このような場所に上記がいし連装置をおろすのは、細心の注意が必要であり、多大な作業時間と労力を要する。従って、できるだけがいし連装置を鉄塔下の地上に降ろすのは避けたい。また、鉄塔の腕金の片回線停電工事で電線張り替えを行う場合、作業側（停電側）の電線が延線用金車の配置により活線側に近づき、作業中の不安感があったり、活線からの誘導電流の増加で感電の危険も多かった。
【０００５】
そこで、この発明は、がいし連装置を鉄塔の腕金に取付けたまま、既設の一方の電線を用いて、他方の電線を新線に張り替える、安全でかつ作業の容易な工法を提供しようとするものである。
【課題を解決するための手段】
【０００６】
請求項１の発明は、鉄塔の腕金に支持されたがいし連装置の先端のがいし連ヨークに、水平方向に間隔をあけて２条の電線の各一端を引き留めた電線を、新規な電線に張り替える工法において、張り替える既設の２条の電線に反転式の吊り金車を多数間隔をあけて取り付け、上記当該既設の電線の両端部の上記がいし連ヨークの中央に仮設配列ヨークを水平に取り付け、既設の２条の電線の両端を上記がいし連ヨークから外して上記各仮設配列ヨークに取り付け、これらの２条の電線両端の各仮設配列ヨークを回転させて垂直にし、この状態の２条の電線のうちの下部の電線を各仮設配列ヨークから外してその一端に新線を接続して、上記２条のうちの上部の電線を親線として、当該下部の電線を上記多数の吊り金車を通して引っ張り、新線に張り替え、その新線の両端を仮設配列ヨークに取り付け、その後、仮設配列ヨークを１８０度回転させて、下部の既設の電線の両端を仮設配列ヨークから外してその一端に新線を接続し、上記上部に位置する新線を親線として、既設の電線を上記多数の吊り金車を通して引っ張り、新線に張替え、その新線の両端を仮設配列ヨークに取り付け、当該仮設配列ヨークを９０度回転させて水平にし、２条の新線の両端を仮設配列ヨークから外して、がいし連ヨークにとりつける、送電線の張り替え工法とした。
また、請求項２の発明は、上記がいし連ヨークの中央に取り付けた仮設配列ヨークは、がいし連ヨークの中央に取り付けた棒状の取り付け金具の、がいし連ヨークの前方に突き出した延長部に仮設配列ヨークの中央部を係止し、上記延長部を軸として仮設配列ヨークが回転可能である、上記請求項１に記載の送電線の張り替え工法とした。
【発明の効果】
【０００７】
請求項１及び２の発明によれば、がいし連装置に取り付けたがいし連ヨークの中央に仮設配列ヨークを取り付け、この仮設配列ヨークに電線を取り付け、当該仮設配列ヨークを回転させることにより、電線を張り替えるため、鉄塔の腕金からがいし連装置を外し、地上にこれを降ろす必要がない。それ故従来のがいし連装置を地上に降ろす作業が省け、作業が容易で、費用がかからず、工期短縮が図れる。また、既存のがいし連ヨークの中央に設置された仮設配列ヨークに電線を取り付け、これらの電線を張り替えることにより、作業中がいし連装置が捩れて、がいしが破損したりすることがない。また、２条の電線の両端をそれぞれ仮設配列ヨークに取り付けて、電線両端の仮設配列ヨークを回転させるため、電線反転時に２条の電線間の距離が変わらず、電線相互の接触の恐がなく、線交わし作業が容易である。また、鉄塔の腕金の片回線停電工事で電線張り替えを行う場合、吊り金工法での親線の電線位置が、ほぼ既設電線位置にあるため、活線側の電線に近づかない。よって、充電部近接作業の危険度低減と作業性の向上が図れる。また、仮設配列ヨークを、電線と既設のがいし連ヨークの間に取り付け、この仮設配列ヨークに電線を取り付けてこれを張り替えるため、架線張力をゆるめることができるので、吊り金工法での親線の電線に対する工事中の荷重を軽減でき、より安全な工事ができる。
【発明を実施するための最良の形態】
【０００８】
鉄塔の腕金に支持されたがいし連装置の先端のがいし連ヨークに、水平方向に間隔をあけて２条の電線の各一端を引き留めた電線を、新規な電線に張り替える工法において、張り替える既設の２条の電線に反転式の吊り金車を多数間隔をあけて取り付け、上記当該既設の電線の両端部の上記各がいし連ヨークの中央に、仮設配列ヨークの中央部を合わせて、これを水平に取り付け、既設の２条の電線の両端を上記各がいし連ヨークから外して上記各仮設配列ヨークに取り付ける。そして、これらの２条の電線両端の各仮設配列ヨークを回転させて垂直にし、この状態の２条の電線のうちの下部の電線を各仮設配列ヨークから外してその一端に新線を接続し、上記２条のうちの上部の電線を親線として、当該電線を上記多数の吊り金車を通して引っ張り、新線に張り替え、その新線の両端を仮設配列ヨークに取り付け、その後、仮設配列ヨークを１８０度回転させて、下部の既設の電線の両端を仮設配列ヨークから外してその一端に新線を接続し、上記上部に位置する新線を親線として、当該下部の既設の電線を上記多数の吊り金車を通して引っ張り、新線に張替え、その新線の両端を仮設配列ヨークに取り付け、当該仮設配列ヨークを９０度回転させて水平にし、２条の新線の両端を仮設配列ヨークから外して、がいし連ヨークにとりつけ、既設の電線を、新線に張り替える。
【実施例１】
【０００９】
図２は、この発明の送電線の張り替え工事を行う鉄塔の概略を示し、鉄塔１に、上下方向に、三段の腕金２、２、２を設け、これらの三段の腕金２、２、２の両側にそれぞれ三相の電線Ｄを引き通している。また、一つの腕金２の片側では２条の電線Ｄを引き通している。電線張り替え工事は、これらの腕金２の片側の三相の電線Ｄの給電を止め、他の片側の三相の電線Ｄ´を活線状態にしたまま行う。
【００１０】
図３は、この発明の送電線の張り替え工事の作業の第１工程を示すものであるが、この図３に示す鉄塔１の腕金２の左側の２条の電線Ｄ´は活線であり、腕金２に支持されたがいし連装置３の先端に水平板状のがいし連ヨーク４が設けられ、このがいし連ヨーク４の左右両側に２条の電線Ｄ´、Ｄ´の一端がそれぞれ引き留められている。図示は省略するが、これは鉄塔１毎にこの構成がなされ、各電線Ｄはその両端を引き留められ、これらの引き留め箇所でジャンパー線により次の電線に電気的に接続されている。
【００１１】
次に、これらの電線Ｄを新規な電線に張り替える工法を説明する。図３の右側に示すように、取り替える既設の２条の電線Ｄ、Ｄへの送電を停止した後、左右の２条の電線Ｄ、Ｄの全線にわたって多数の反転式の吊り金車５を間隔をあけて取り付ける。これらの各吊り金車５は図示のように、吊りロープ５aの両端に吊り金車５bを設け、これらの一方の吊り金車５bを一方の電線Ｄに、他方の吊り金車５bを他方の電線Ｄに掛け、多数の吊り金車５相互を吊りロープ５aの中ほどに固定した曳行ロープ５cで繋げたものである。
【００１２】
また、図３の右側に示すように、がいし連ヨーク４の中央に、取り付け金具６を固定し、この取り付け金具６の延長部先端に略水平な板状の仮設配列ヨーク７を取り付ける。この仮設配列ヨーク７は、その中央部に取り付け金具６を取り付けられ、当該取り付け金具６の延長部の回転により、回転可能となっている。そして、上記がいし連装置３を支持した腕金２に延線用金車８を取り付け、既設の２条の電線Ｄ、Ｄの両端を上記各がいし連ヨーク４から外して上記各仮設配列ヨーク７に取り付ける。これにより、各鉄塔１の箇所で、がいし連ヨーク４の前方に仮設配列ヨーク７を取り付けるため、２条の電線Ｄ、Ｄの両端は、相互に距離が短くなり、張力が緩和される。
【００１３】
そして、図４に示すように、これらの２条の電線Ｄ、Ｄの両端の各仮設配列ヨーク７を９０度回転させて垂直にし、図５に示すように、この状態の２条の電線Ｄ、Ｄのうちの下部の電線Ｄを各仮設配列ヨーク７から外し、図１に示すように、その一端に鉄塔１と他の隣接する鉄塔（図示省略）との間の電線と接合線９を介して結線した後、腕金２に吊るした延線用金車８に載せ替え、また、この電線Ｄの他端に新線Ｓを接続し（図示省略）、上記２条のうちの上部の電線Ｄを親線として、当該下部の電線Ｄを上記多数の吊り金車５を通して引っ張り、新線Ｓに張り替える。そして、図６及び図７に示すように、その新線Ｓの両端を仮設配列ヨーク７に取り付けて仮設配列ヨーク７を１８０度回転させて新線Ｓを上部に、既設の電線Ｄを下部に位置させる。
【００１４】
また、図８に示すように、下部の既設の電線Ｄの両端を仮設配列ヨーク７から外して、上記と同様に、その一端に鉄塔１と他の隣接する鉄塔（図示省略）との間の電線と接合線９を介して結線した後、腕金２に吊るした延線用金車８に載せ替え、また、この電線Ｄの他端に新線Ｓを接続し（図示省略）、上記上部に位置する新線Ｓを親線として、既設の電線Ｄを上記多数の吊り金車５を通して引っ張り、新線Ｓに張替え、図９に示すように、その新線Ｓの両端を仮設配列ヨーク７に取り付け、当該仮設配列ヨーク７を９０度回転させて、図１０に示すように、水平にし、２条の新線Ｓの両端を仮設配列ヨーク７から外して、がいし連ヨーク４に取り付け、既設の電線を、新線に張り替える。
【００１５】
図１１及び図１２は、上記取り付け金具６の詳細を示す。この取り付け金具６は、上記がいし連ヨーク４の中央部に取付けた架線用ターンバックル６１の先端を、がいし連ヨーク４の前方に突出させ、この先端部で、カマレス金物６２の一端をピン６３により水平方向で回転自在に軸支し、このカマレス金物６２の外周に設けたインナーリング６２ａの外周に、当該カマレス金物６２の外周を回転自在なアウターリング６２ｂを被冠し、このアウターリング６２ｂの外周両側に設けた突出片６２ｃ、６２ｃにそれぞれ平行クレビス６４、６４の一端をピン６５により水平方向で回転自在に接続し、これらの平行クレビス６４、６４の各他端を上記仮設配列ヨーク７の後部両側に係止したものである。これらの構成により、上記仮設配列ヨーク７は、カマレス金物６２のアウターリング６２ｂの両側の突出片６２ｃにより、がいし連ヨーク４の中心軸上で、回転自在となっている。また、上記架線用ターンバックル６１の、がいし連ヨーク４の後方に突出した軸部には、両側に突出片を有するセットリング６１ａが回転自在に設けられ、必要に応じて、このセットリング６１ａの両側の突出片と仮設配列ヨーク７の後部両端との間に支線を張り、仮設配列ヨーク７を安定して回転させることもできる。また、この仮設配列ヨーク７の前部両側で、電線Ｄの一端をそれぞれ電線引留めクランプ１０及び直角クレビス１１を介して引き留めるものである。
【００１６】
また、図１３は、上記架線用ターンバックル６１の単体を示し、棒ネジ６１ｂの一端に先端アイ６１ｃを固定し、この先端アイ６１ｃに隣接して、棒ネジ６１ｂに第１クランプ６１ｄを摺動自在に被冠し、また、この第１クランプ６１ｄに対向して、棒ネジ６１ｂに第２クランプ６１ｅを摺動自在に被冠し、更に、この第２クランプ６１ｅの外側の棒ネジ６１ｂに上記セットリング６１ａ及びナット６１ｆを螺着し、当該棒ネジ６１ｂの他端に割りピン６１ｇを設けて、上記ナット６１ｆ等の棒ネジ６１ｂからの脱落を防止している。そして、上記第１クランプ６１ｄ及び第２クランプ６１ｅの一側の鉤型部６１ｈにそれぞれクランプボルト６１ｉを設けている。この架線用ターンバックル６１は、上述の様に、がいし連ヨーク４の中央部を第１クランプ６１ｄと第２クランプ６１ｅで挟んで、各クランプボルト６１ｉをがいし連ヨーク４に締め付け、がいし連ヨーク４に固定する。また、上記先端アイ６１ｃに上記カマレス金物６２の一端をピン６３により接続するものである。
【００１７】
また、図１４は、上記仮設配列ヨーク７の平面図であり、横長の板状体７ａの前端部（図では下方）に、間隔をあけて多数の透孔７ｂを穿ち、これらの透孔７ｂを介して電線Ｄや新線Ｓを引き留めるものである。また、板状体７ａの後端部（図では上方）の両側及び中央部に、間隔をあけて多数の透孔７ｃを穿ち、これらの透孔７ｃを介して上記取り付け金具６の平行クレビス６４等を接続するものである。
【００１８】
なお、この発明に使用する取り付け金具６及び仮設配列ヨーク７は、上記実施例のものに限定されるものではない。特に取り付け金具は、上記がいし連ヨークの中央に取付け、当該がいし連ヨークの前方に突き出した延長部に仮設配列ヨークの中央部を係止し、上記延長部を軸として仮設配列ヨークが回転可能であるものであればよい。また、図１に示すように仮設配列ヨーク７を垂直に支持する場合、支線を適宜鉄塔１の腕金２等から仮設配列ヨーク７の端部にまで取り付け、仮設配列ヨーク７を安定させることもできる。
【図面の簡単な説明】
【００１９】
【図１】この発明の鉄塔の片側の送電線の張り替え工法において、がいし連ヨークに取付けた仮設配列ヨークに２条の電線の一端を取り付け、この仮設配列ヨークを垂直にし、上部の電線を親線とし、この親線に吊り下げた多数の吊り金車に下部の電線を載せた状態を示す、斜視図である。
【図２】この発明の送電線の張り替え工法を行う鉄塔箇所の斜視図である。
【図３】この発明の鉄塔の片側の送電線の張り替え工法において、がいし連ヨークに引き留めた２条の電線に多数の吊り金車を間隔をあけて掛け、上記がいし連ヨークに仮設配列ヨークを水平に取付けた状態を示す斜視図である。
【図４】この発明の送電線の張り替え工法において、２条の電線を水平な仮設配列ヨークに取り付けた状態を示す説明図である。
【図５】この発明の送電線の張り替え工法において、仮設配列ヨークを回転させて垂直にし、下部の電線を仮設配列ヨークから取り外した状態を示す説明図である。
【図６】この発明の送電線の張り替え工法において、垂直な仮設配列ヨークに、下部の張り替えた新線を取り付けた状態を示す説明図である。
【図７】この発明の送電線の張り替え工法において、垂直な仮設配列ヨークを１８０度回転させて、２条の電線を上下逆にし、上部に新線、下部に既設の電線を位置させた状態を示す説明図である。
【図８】この発明の送電線の張り替え工法において、垂直な仮設配列ヨークに取付けた２条の電線のうち、下部の既設の電線を仮設配列ヨークから取り外した状態を示す説明図である。
【図９】この発明の送電線の張り替え工法において、垂直な仮設配列ヨークに、下部の張り替えた新線を取り付けた状態を示す説明図である。
【図１０】この発明の送電線の張り替え工法において、取り換えた２条の新線を取付けた仮設配列ヨークを９０度回転させて水平にした状態を示す説明図である。
【図１１】この発明のがいし連ヨークの延長線上に取り付け金具を介して仮設配列ヨークを取り付けた状態を示す拡大平面図である。
【図１２】この発明のがいし連ヨークの延長線上に取り付け金具を介して仮設配列ヨークを取り付けた状態を示す拡大側面図である。
【図１３】この発明の張え替え工法に使用する架線用ターンバックルの拡大側面図である。
【図１４】この発明の張え替え工法に使用する仮設配列ヨークの拡大平面図である。
【符号の説明】
【００２０】
１      鉄塔                            ２        腕金
３      がいし連装置                    ４        がいし連ヨーク
５      反転式金車                      ５ａ      吊ロープ        
５ａ    吊金車                          ５ｃ      曳行ロープ
６      取り付け金具                    ６１      架線用ターンバックル
６２    カマレス金物                    ６３      ピン
６４    平行クレビス                    ７        仮設配列ヨーク
８      延線用金車                      ９        接合線
１０      電線引き留めクランプ          １１        直角クレビス
【図１】
2005295681.tif 000003
【図２】
2005295681.tif 000004
【図３】
2005295681.tif 000005
【図４】
2005295681.tif 000006
【図５】
2005295681.tif 000007
【図６】
2005295681.tif 000008
【図７】
2005295681.tif 000009
【図８】
2005295681.tif 000010
【図９】
2005295681.tif 000011
【図１０】
2005295681.tif 000012
【図１１】
2005295681.tif 000013
【図１２】
2005295681.tif 000014
【図１３】
2005295681.tif 000015
【図１４】
2005295681.tif 000016